(57)【特許請求の範囲】
【請求項１】
第２のドメイン中の第２の機器が第１のドメインから第１のメッセージを受信することと、
前記第２の機器が、前記第２のドメイン内の業務機能チェーンＳＦＣに対応させるための第２の業務機能通路識別子ＳＦＰＩＤを前記第１のメッセージに割り当てて、第２のメッセージを得ることと、
前記第２の機器が、前記第２のメッセージを前記第２のドメイン中の前記第２の機器以外の他の機器に送信することと、を含み、
前記第１のメッセージに、前記第１のドメインにより前記第１のメッセージに割り当てた第１のＳＦＰＩＤが載せられ、
前記第２の機器が前記第２のドメイン内の業務機能チェーンＳＦＣに対応させるための第２の業務機能通路識別子ＳＦＰＩＤを前記第１のメッセージに割り当てて、第２のメッセージを得ることは、前記第２の機器が前記第１のメッセージを分類して、分類結果に基づいて前記第２のＳＦＰＩＤを生成することと、前記第２の機器が、前記第１のメッセージの第１のＳＦＰＩＤに対応するＳＦＰＩＤヘッド以外に、前記２のドメイン中の前記第２のＳＦＰＩＤに対応する新規のＳＦＰＩＤヘッドをパッケージングして、前記第２のメッセージを得ることと、を含むメッセージの転送処理方法。
【請求項２】
第２のドメイン中の第２の機器が第１のドメインから第１のメッセージを受信することが、
前記第２の機器が前記第２のドメインのゲートウェイ機器を介して前記第１のメッセージを受信することを含む請求項１に記載の方法。
【請求項３】
前記第１のメッセージを、前記第１のドメインが前記第２のドメインのゲートウェイ機器のアドレスに基づいて前記第２のドメインに送信し、ここで、前記第２のドメインのゲートウェイ機器のアドレスは前記第１のドメインが調節管理エンティティを介して取得し、前記第２のドメインのゲートウェイ機器のアドレスを前記ＳＦＣに対応させるための前記第１のドメインの業務機能エンティティＳＦのアドレスとする請求項２に記載の方法。
【請求項４】
前記第２の機器が前記第２のドメイン内の業務機能チェーンＳＦＣに対応させるための第２の業務機能通路識別子ＳＦＰＩＤを前記第１のメッセージに割り当てて、第２のメッセージを得ることは、
前記第２の機器が、前記第１のメッセージを分類し、分類結果に基づいて前記第２のＳＦＰＩＤを生成することと、
前記第２の機器が、前記第１のメッセージの外部に前記第２のＳＦＰＩＤをパッケージングして、前記第２のメッセージを得ることと、を含む請求項１に記載の方法。
【請求項５】
前記第２の機器が前記第１のメッセージのヘッド情報及び／又は第１のＳＦＰＩＤに基づいて、前記第１のメッセージを分類することが、
前記第１のドメインと前記第２のドメインが調節管理エンティティによって調節して、前記第２のドメインの分類装置が前記第１のＳＦＰＩＤと前記第２のＳＦＰＩＤの対応関係を取得することを含む請求項４に記載の方法。
【請求項６】
前記第２の機器が前記第２のメッセージを前記第２のドメイン中の前記第２の機器以外の他の機器に送信した後、
前記第２のドメインの最後ホップの業務機能転送器ＳＦＦが、前記第２のメッセージの前記第２のＳＦＰＩＤのパッケージを解除し、前記第１のメッセージを得ることと、
前記ＳＦＦが前記第１のメッセージを前記第２のドメインのゲートウェイ機器を介して前記第２のドメイン以外の他のドメインに送信することと、をさらに含む請求項１に記載の方法。
【請求項７】
前記第２の機器が前記第２のドメイン内の業務機能チェーンＳＦＣに対応させるための第２の業務機能通路識別子ＳＦＰＩＤを前記第１のメッセージに割り当てて、第２のメッセージを得ることは、
前記第２の機器が前記第１のメッセージを分類して、分類結果を得ることと、
前記第２の機器が前記分類結果に基づいて前記第２のＳＦＰＩＤを生成することと、
前記第２の機器が前記第１のメッセージのヘッド中の前記第１のＳＦＰＩＤを前記第２のＳＦＰＩＤで入れ替えして、前記第２のメッセージを得ることと、を含む請求項１に記載の方法。
【請求項８】
さらに、前記第２の機器が前記第１のメッセージを分類することは、
前記第２の機器が、前記第１のメッセージのヘッド情報及び／又は前記第１のＳＦＰＩＤに基づいて前記第１のメッセージを分類することを含む請求項４又は７に記載の方法。
【請求項９】
前記第２の機器が前記第２のメッセージを前記第２のドメイン中の前記第２の機器以外の他の機器に送信した後、
前記第２のドメインの最後ホップのＳＦＦがメタデータから第１のＳＦＰＩＤを取得して、前記第２のＳＦＰＩＤを再び前記第１のＳＦＰＩＤに置換して、前記第１のメッセージを得ることと、
前記ＳＦＦが前記第１のメッセージを前記第２のドメインのゲートウェイ機器を介して前記第２のドメイン以外の他のドメインに送信することと、更に含む請求項７に記載の方法。
【請求項１０】
前記第２の機器が前記第２のドメイン内の業務機能チェーンＳＦＣに対応させるための第２の業務機能通路識別子ＳＦＰＩＤを前記第１のメッセージに割り当てて、第２のメッセージを得ることは、
前記第１のＳＦＰＩＤと前記第２のＳＦＰＩＤの対応関係に基づいて、前記第１のメッセージに前記第１のＳＦＰＩＤに対応する前記第２のＳＦＰＩＤを割り当て、前記第２のメッセージを得ることを含む請求項１に記載の方法。
【請求項１１】
前記第２の機器が前記第２のメッセージを前記第２のドメイン中の前記第２の機器以外の他の機器に送信した後、
前記第２のドメインの最後ホップのＳＦＦが、前記第２のＳＦＰＩＤを前記第１のＳＦＰＩＤにマッピングして、前記第２のＳＦＰＩＤをパッケージングした前記第１のメッセージを前記第１のメッセージに戻すことを更に含む請求項１０に記載の方法。
【請求項１２】
前記ＳＦＦが前記第１のメッセージを前記第２のドメインのゲートウェイ機器を介して前記第２のドメイン以外の他のドメインに送信した後、
前記第２のドメインが前記第１のメッセージの業務機能処理を提供しない場合、前記第２のドメイン内のゲートウェイ機器が、前記第１のドメインに、前記第２のドメインが提供した業務機能ＳＦを削除するための通知メッセージを送信することを更に含む請求項７又は９又は１１に記載の方法。
【請求項１３】
前記第２のドメインは、メインドメインとスペアドメインとを含む請求項１乃至１２の中のいずれか一項に記載の方法。
【請求項１４】
前記第２の機器は前記第２のドメイン中の分類装置である請求項１乃至１３の中のいずれか一項に記載の方法。
【請求項１５】
第２のドメイン中の第２の機器に応用されるメッセージの転送処理装置であって、
第１のドメインから第１のメッセージを受信するように構成される受信手段と、
前記第２のドメイン内の業務機能チェーンＳＦＣに対応させるための第２の業務機能通路識別子ＳＦＰＩＤを前記第１のメッセージに割り当てて、第２のメッセージを得るように構成される割り当て手段と、
前記第２のメッセージを前記第２のドメイン中の前記第２の機器以外の他の機器に送信するように構成される送信手段と、を含み、
前記第１のメッセージに前記第１のドメインが前記第１のメッセージに割り当てた第１のＳＦＰＩＤが載せられ、
前記割り当て手段で、前記第２のドメイン内の業務機能チェーンＳＦＣに対応させるための第２の業務機能通路識別子ＳＦＰＩＤを前記第１のメッセージに割り当てて、第２のメッセージを得ることは、前記第１のメッセージを分類して、分類結果に基づいて前記第２のＳＦＰＩＤを生成することと、前記第１のメッセージの第１のＳＦＰＩＤに対応するＳＦＰＩＤヘッド以外に、前記２のドメイン中の前記第２のＳＦＰＩＤに対応する新規のＳＦＰＩＤヘッドをパッケージングして、前記第２のメッセージを得ることと、を含むメッセージの転送処理装置。
【請求項１６】
前記受信手段はさらに、前記第２のドメインのゲートウェイ機器のアドレスを前記第１のドメインに送信し、前記第２のドメインのゲートウェイ機器を介して前記第１のメッセージを受信するように構成される請求項１５に記載の装置。
【請求項１７】
前記割り当て手段はさらに、
前記第１のメッセージを分類して、分類結果を得るように構成される第１の分類ユニットと、
前記分類結果に基づいて前記第２のＳＦＰＩＤを生成するように構成される第１の生成ユニットと、
前記第１のメッセージの外部に前記第２のＳＦＰＩＤ部をパッケージングして、前記第２のメッセージを得るように構成されたパッケージングユニットと、を含む請求項１５に記載の装置。
【請求項１８】
前記割り当て手段はさらに、
前記第１のメッセージを分類して、分類結果を得るように構成される第２の分類ユニットと、
前記分類結果に基づいて前記第２のＳＦＰＩＤを生成するように構成される第２の生成ユニットと、
前記第１のメッセージのヘッド中の前記第１のＳＦＰＩＤを前記第２のＳＦＰＩＤに入れ替えし、第１のＳＦＰＩＤをメタデータに記憶して、前記第２のメッセージを得るように構成される入れ替えユニットと、を含む請求項１５に記載の装置。
【請求項１９】
前記割り当て手段はさらに、
前記第１のＳＦＰＩＤと前記第２のＳＦＰＩＤの対応関係を取得して、前記第１のメッセージに前記第１のＳＦＰＩＤに対応する前記第２のＳＦＰＩＤを割り当てて、前記第２のメッセージを得るように構成される取得ユニットを更に含む請求項１５に記載の装置。
【請求項２０】
前記第２の機器は前記第２のドメイン中の分類装置である請求項１５乃至１９の中のいずれか一項に記載の装置。
【請求項２１】
第１のドメインに位置する第１の機器と、第２のドメインとに位置する第２の機器とを、含み、
前記第２の機器は、前記第１の機器から送信された第１のメッセージを受信し、前記第２のドメイン内の業務機能チェーンＳＦＣに対応させるための第２の業務機能通路識別子ＳＦＰＩＤを前記第１のメッセージに割り当てて、第２のメッセージを得て、また、前記第２のメッセージを前記第２のドメイン中の前記第２の機器以外の他の機器に送信するように構成され、
前記第１のメッセージに、前記第１のドメインにより前記第１のメッセージに割り当てた第１のＳＦＰＩＤが載せられ、
前記第２の機器が前記第２のドメイン内の業務機能チェーンＳＦＣに対応させるための第２の業務機能通路識別子ＳＦＰＩＤを前記第１のメッセージに割り当てて、第２のメッセージを得ることは、前記第２の機器が前記第１のメッセージを分類して、分類結果に基づいて前記第２のＳＦＰＩＤを生成することと、前記第２の機器が、前記第１のメッセージの第１のＳＦＰＩＤに対応するＳＦＰＩＤヘッド以外に、前記２のドメイン中の前記第２のＳＦＰＩＤに対応する新規のＳＦＰＩＤヘッドをパッケージングして、前記第２のメッセージを得ることと、を含むメッセージの転送処理システム。
【請求項２２】
第２のドメインに位置するゲートウェイ機器及び最後ホップのＳＦＦと、前記第２のドメイン以外の他のドメインに位置する第３の機器と、を更に含み、
前記最後ホップのＳＦＦは前記第２のメッセージを前記第１のメッセージに戻して、前記第１のメッセージを前記ゲートウェイ機器に送信するように構成され、前記ゲートウェイ機器は、前記第１のドメインから前記第１のメッセージを受信して、前記第１のメッセージを前記第２の機器に送信し、前記最後ホップのＳＦＦが戻した前記第１のメッセージを前記第３の機器に送信するように構成される請求項２１に記載のシステム。
【発明の詳細な説明】
【技術分野】
【０００１】
本発明は、通信分野に関し、特に、メッセージの転送処理方法、装置及びシステムに関するものである。
【背景技術】
【０００２】
既存技術において、データがネットワークに進入する時に、例えばアンチウイルス装置、加速装置、ファイアーウォール装置、ネットワークアドレス変換（Ｎｅｔｗｏｒｋ  Ａｄｄｒｅｓｓ  Ｔｒａｎｓｌａｔｉｏｎ、ＮＡＴと略称）機器等の大量の付加価値業務機器にアクセスしなければならない。流量は差別化されておらず一回にこれらの業務機器を通過しなければならず、これらの機器に不要な負担を与え、サービスリソースの最適化を制限し、配置が複雑で、サービス配置の高速変化を実現しくにくい。
【０００３】
上記問題に対して、今、業務チェーン（Ｓｅｒｖｉｃｅ  Ｆｕｎｃｔｉｏｎ  Ｃｈａｉｎ、ＳＦＣと略称）の方式を開示していて、即ち、図１に示すように、全てのサービス業務を統合して、Ｓｅｒｖｉｃｅ  ｏｖｅｒｌａｙ層を仮想し、自分のサービストポロジを形成し、下層ネットワークとの結合を解除し、下層ネットワークの構造の制限を受けない。流量が経過する業務はＳＦＣにより決める。ＳＦＣは、各ＳＦＣの識別子（Ｓｅｒｖｉｃｅ  Ｆｕｎｃｔｉｏｎ  Ｐａｔｈ  Ｉｄｅｎｔｉｆｉｅｒ、ＳＦＰＩＤと略称）を追加し、メッセージを階層化することで、異なる階層の流量に異なるＳＦＣを割り当てる（入口階層化機器によって行う）。転送機器は、ＳＦＣの識別子に基づいて、メッセージの転送を行う。従って、異なる流量について異なる業務チェーン処理を行うことができ、差別化需要を満たすことができる。
【０００４】
現在、業務機能チェーンの処理は図１に示すとおりで、業務機能（Ｓｅｒｖｉｃｅ  Ｆｕｎｃｔｉｏｎ、ＳＦと略称）、ＳＦＦは業務機能転送器で、メッセージに載せられたＳＦＰＩＤに応じて異なるＳＦ又はＳＦＦを選択してメッセージの転送を行い、即ち、分類装置又はＳＦＦから受信したメッセージについて、ＳＦＦはメッセージのＳＦＰＩＤに応じて当該業務チェーン通路に属するＳＦに転送する。ＳＦから受信したメッセージについて、ＳＦＦはメッセージのＳＦＰＩＤに応じて次のホップを選択してから、次のホップのアドレスに従ってメッセージを次のＳＦＦに送信する。
【０００５】
広域ネットワークの場合、その中の一部の業務機能が他のネットワークの業務機能を借りて複雑な処理を行っている可能性があって、例えばデータセンターネットワーク中の一部の業務機能を借りて、流量に一部の特別な処理を行う。よって、この時の流量は当該データセンターネットワークに進入しなければならない。しかし、データセンターネットワーク中の具体的な業務機能と接続関係は賃借人に対して遮断し、データセンターネットワーク内の機器は広域ネットワークのＳＦＣ識別子を識別できない。このような状況で、既存技術によると、エンドツーエンドの流量のＳＦＣ支援を実現できない。
【０００６】
既存技術において、ネットワーク間でのエンドツーエンドの流量のＳＦＣ支援を実現できない問題について、未だに有効な解決案を提示していない。
【発明の概要】
【発明が解決しようとする課題】
【０００７】
本発明の実施例は、少なくとも既存技術においてエンドツーエンド流量のＳＦＣ支援を実現できない問題を解決できるメッセージの転送処理方法、装置及びシステムを提供する。
【課題を解決するための手段】
【０００８】
本発明の実施例の一態様によると、第２のドメイン中の第２の機器が第１のドメインから第１のメッセージを受信することと、前記第２の機器が前記第２のドメイン内の業務機能チェーンＳＦＣに対応させるための第２の業務機能通路識別子ＳＦＰＩＤを前記第１のメッセージに割り当てて、第２のメッセージを得ることと、前記第２の機器が前記第２のメッセージを前記第２のドメイン中の前記第２の機器以外の他の機器に送信することと、を含むメッセージの転送処理方法を提供する。
【０００９】
さらに、前記第１のメッセージに、前記第１のドメインにより前記第１のメッセージに割り当てた第１のＳＦＰＩＤが載せられる。
【００１０】
さらに、第２のドメイン中の第２の機器が第１のドメインから第１のメッセージを受信することが、前記第２の機器が前記第２のドメインのゲートウェイ機器を介して前記第１のメッセージを受信することを含む。
【００１１】
さらに、前記第１のメッセージを、前記第１のドメインが前記第２のドメインのゲートウェイ機器のアドレスに基づいて前記第２のドメインに送信し、ここで、前記第２のドメインのゲートウェイ機器のアドレスは前記第１のドメインが調節管理エンティティを介して取得し、前記第２のドメインのゲートウェイ機器のアドレスを前記ＳＦＣに対応させるための前記第１のドメインの業務機能エンティティＳＦのアドレスとする。さらに、前記第２の機器は前記第２のドメイン内の業務機能チェーンＳＦＣに対応させるための第２の業務機能通路識別子ＳＦＰＩＤを前記第１のメッセージに割り当てて、第２のメッセージを得ることは、前記第２の機器が前記第１のメッセージを分類し、分類結果に基づいて前記第２のＳＦＰＩＤを生成することと、前記第２の機器が前記第１のメッセージの外部に前記第２のＳＦＰＩＤをパッケージングして、前記第２のメッセージを得ることと、を含む。
【００１２】
さらに、前記第２の機器が前記第１のメッセージを分類することは、前記第２のドメインの分類装置が、前記第１のメッセージのヘッド情報及び／又は前記第１のＳＦＰＩＤに基づいて、前記第１のメッセージを分類することを含む。
【００１３】
さらに、前記第２のドメインの分類装置が前記第１のメッセージのヘッド情報及び／又は第１のＳＦＰＩＤに基づいて、前記第１のメッセージを分類することが、第１のドメインと第２のドメインが調節管理エンティティによって調節して、前記第２のドメインの分類装置が前記第１のＳＦＰＩＤと前記第２のＳＦＰＩＤの対応関係を取得することを含む。
【００１４】
さらに、前記第２の機器が前記第２のメッセージを前記第２のドメイン中の前記第２の機器以外の他の機器に送信した後、前記第２のドメインの最後ホップの業務機能転送器ＳＦＦが、前記第２のメッセージの前記第２のＳＦＰＩＤのパッケージを解除し、前記第１のメッセージを得ることと、前記ＳＦＦが前記第１のメッセージを前記第２のドメインのゲートウェイ機器を介して前記第２のドメイン以外の他のドメインに送信することと、を含む。
【００１５】
さらに、前記第２の機器が前記第２のドメイン内の業務機能チェーンＳＦＣに対応させるための第２の業務機能通路識別子ＳＦＰＩＤを前記第１のメッセージに割り当てて、第２のメッセージを得ることは、前記第２の機器が前記第１のメッセージを分類して、分類結果を得ることと、前記第２の機器が前記分類結果に基づいて前記第２のＳＦＰＩＤを生成することと、前記第２の機器が前記第１のメッセージのヘッド中の前記第１のＳＦＰＩＤを前記第２のＳＦＰＩＤで入れ替えして、前記第２のメッセージを得ることと、を含む。
【００１６】
さらに、前記第２の機器が前記第１のメッセージを分類することは、前記第２のドメインの分類装置が前記第１のメッセージのヘッド情報及び／又は前記第１のＳＦＰＩＤに基づいて前記第１のメッセージを分類することを含む。
【００１７】
さらに、前記第２の機器が前記第２のメッセージを前記第２のドメイン中の前記第２の機器以外の他の機器に送信した後、前記第２のドメインの最後ホップのＳＦＦが前記第２のＳＦＰＩＤを再び前記第１のＳＦＰＩＤに置換して、前記第１のメッセージを得ることと、前記ＳＦＦが前記第１のメッセージを前記第２のドメインのゲートウェイ機器を介して前記第２のドメイン以外の他のドメインに送信することと、更に含む。
【００１８】
さらに、前記第２の機器が前記第２のドメイン内の業務機能チェーンＳＦＣに対応させるための第２の業務機能通路識別子ＳＦＰＩＤを前記第１のメッセージに割り当てて、第２のメッセージを得ることは、前記第１のＳＦＰＩＤと前記第２のＳＦＰＩＤの対応関係に基づいて、前記第１のＳＦＰＩＤに対応する前記第２のＳＦＰＩＤを前記第１のメッセージに割り当て、第１のＳＦＰＩＤをメタデータに記憶し、前記第２のメッセージを得ることを含む。
【００１９】
さらに、前記第２の機器が前記第２のメッセージを前記第２のドメイン中の前記第２の機器以外の他の機器に送信した後、前記第２のドメインの最後ホップのＳＦＦがメタデータから第１のＳＦＰＩＤを取得し、前記第２のＳＦＰＩＤを前記第１のＳＦＰＩＤにマッピングして、前記第２のＳＦＰＩＤをパッケージングした前記第１のメッセージを前記第１のメッセージに戻すことを更に含む。
【００２０】
さらに、前記ＳＦＦが前記第１のメッセージを前記第２のドメインのゲートウェイ機器を介して前記第２のドメイン以外の他のドメインに送信した後、前記第２のドメインが前記第１のメッセージの業務機能処理を提供しない場合、前記第２のドメイン内のゲートウェイ機器が前記第１のドメインに、前記第２のドメインが提供した業務機能ＳＦを削除するための通知メッセージを送信することを更に含む。
【００２１】
さらに、前記第２のドメインは、メインドメインとスペアドメインとを含む。
【００２２】
さらに、前記第２の機器は前記第２のドメイン中の分類装置である。
【００２３】
本発明の実施例の他の一態様によると、第２のドメイン中の第２の機器に応用されるメッセージの転送処理装置であって、第１のドメインから第１のメッセージを受信するように構成される受信手段と、前記第２のドメイン内の業務機能チェーンＳＦＣに対応させるための第２の業務機能通路識別子ＳＦＰＩＤを前記第１のメッセージに割り当てて、第２のメッセージを得るように構成される割り当て手段と、前記第２のメッセージを前記第２のドメイン中の前記第２の機器以外の他の機器に送信するように構成される送信手段と、を含むメッセージの転送処理装置を提供する。
【００２４】
さらに、前記第１のメッセージに前記第１のドメインが前記第１のメッセージに割り当てた第１のＳＦＰＩＤが載せられる。
【００２５】
さらに、前記受信手段はさらに、前記第２のドメインのゲートウェイ機器のアドレスを前記第１のドメインに送信し、前記第２のドメインのゲートウェイ機器を介して前記第１のメッセージを受信するように構成される。
【００２６】
さらに、前記割り当て手段はさらに、前記第１のメッセージを分類して、分類結果を得るように構成される第１の分類ユニットと、前記分類結果に基づいて前記第２のＳＦＰＩＤを生成するように構成される第１の生成ユニットと、前記第１のメッセージの外部に前記第２のＳＦＰＩＤ部をパッケージングして、前記第２のメッセージを得るように構成されたパッケージングユニットと、を含む。
【００２７】
さらに、前記割り当て手段はさらに、前記第１のメッセージを分類して、分類結果を得るように構成される第２の分類ユニットと、前記分類結果に基づいて前記第２のＳＦＰＩＤを生成するように構成される第２の生成ユニットと、前記第１のメッセージのヘッド中の前記第１のＳＦＰＩＤを前記第２のＳＦＰＩＤに入れ替えし、第１のＳＦＰＩＤをメタデータに記憶して、前記第２のメッセージを得るように構成される入れ替えユニットと、を含む。
【００２８】
さらに、前記割り当て手段はさらに、前記第１のＳＦＰＩＤと前記第２のＳＦＰＩＤの対応関係を取得して、前記第１のＳＦＰＩＤに対応する前記第２のＳＦＰＩＤを前記第１のメッセージに割り当てて、前記第２のメッセージを得るように構成される取得ユニットを更に含む。
【００２９】
さらに、前記第２の機器は前記第２のドメイン中の分類装置である。
【００３０】
本発明の実施例の他の一態様によると、第１のドメインに位置する第１の機器と、第２のドメインに位置する第２の機器とを、含み、前記第２の機器は、前記第１の機器から送信された第１のメッセージを受信し、前記第２のドメイン内の業務機能チェーンＳＦＣに対応させるための第２の業務機能通路識別子ＳＦＰＩＤを前記第１のメッセージに割り当てて、第２のメッセージを得て、また、前記第２のメッセージを前記第２のドメイン中の前記第２の機器以外の他の機器に送信するように構成されるメッセージの転送処理システムを提供する。
【００３１】
さらに、前記システムは、第２のドメインに位置するゲートウェイ機器及び最後ホップのＳＦＦと、前記第２のドメイン以外の他のドメインに位置する第３の機器と、を更に含み、前記最後ホップのＳＦＦは前記第２のメッセージを前記第１のメッセージに戻して、前記第１のメッセージを前記ゲートウェイ機器に送信するように構成され、前記ゲートウェイ機器は、前記第１のドメインから前記第１のメッセージを受信して、前記第１のメッセージを前記第２の機器に送信し、前記最後ホップのＳＦＦが戻した前記第１のメッセージを前記第３の機器に送信するように構成される。
【発明の効果】
【００３２】
本発明によると、第２のドメイン中の第２の機器によって第１のドメインから第１のメッセージを受信し、第２の機器が第１のメッセージに第２のドメイン内の業務機能チェーンＳＦＣに対応させるための第２の業務機能通路識別子ＳＦＰＩＤを割り当てて、第２のメッセージを得て、第２の機器が第２のメッセージを第２のドメイン中の当該第２の機器以外の他の機器に送信する。既存技術においてエンドツーエンド流量のＳＦＣ支援を実現できない問題を解決し、一つの業務機能チェーンによる複数のドメインでの横断を実現し、同時にデータセンタードメインの内部業務チェーンの秘密性を保証できる。
【図面の簡単な説明】
【００３３】
ここで説明する図面は本発明を一層理解させるためのもので、本願の一部を構成し、本発明に示す実施例及びその説明は本発明を解釈するもので、本発明を限定するものではない。
【図１】ＳＦＣの既存の転送方式を示す図である。
【図２】本発明の実施例に係るメッセージの転送処理方法を示すフローチャートである。
【図３】本発明の実施例に係るメッセージの転送処理装置の構造を示すブロック図である。
【図４】本発明の実施例に係るメッセージの転送処理装置の構造を示すブロック図（１）である。
【図５】本発明の実施例に係るメッセージの転送処理装置の構造を示すブロック図（２）である。
【図６】本発明の実施例に係るメッセージの転送処理装置の構造を示すブロック図（３）である。
【図７】本発明の実施例１に係る流量送信を示す図である。
【図８】本発明の実施例１に係るＳＦＣヘッドのネストフォーマットを示す図である。
【図９】本発明の実施例２に係るＳＦＣヘッドフォーマットを示す図である。
【図１０】本発明の実施例５に係る流量送信を示す図である。
【図１１】本発明の実施例５に係るＳＦＣヘッドを示す図である。
【発明を実施するための形態】
【００３４】
以下、図面を参照しつつ実施例を結合して本発明を詳しく説明する。尚、矛盾しない限り、本願の実施例及び実施例中の特徴は互いに組み合わせることができる。
【００３５】
本実施例でメッセージの転送処理方法を提供し、図２は本発明の実施例に係るメッセージの転送処理方法を示すフローチャートで、図２に示すように、該プロセスはステップＳ２０２〜ステップＳ２０６を含む。
【００３６】
ステップＳ２０２において、第２のドメイン中の第２の機器が第１のドメインから第１のメッセージを受信する。
【００３７】
ステップＳ２０４において、第２の機器が、第１のメッセージに第２のドメイン内の業務機能チェーンＳＦＣに対応させるための第２の業務機能通路識別子ＳＦＰＩＤを割り当てて、第２のメッセージを得る。
【００３８】
ステップＳ２０６において、第２の機器が、第２のメッセージを第２のドメイン中の第２の機器以外の他の機器に送信する。
【００３９】
上記ステップによると、異なるドメインを横断するメッセージに各種の業務処理を提供ことができ、既存技術において使用しようとするデータセンタードメイン中の具体的な業務機能と接続関係を賃借人に遮断した場合に比べ、上記ステップによると、既存技術においてドメイン間でのエンドツーエンド流量のＳＦＣ支援を実現できない問題を解決し、一つの業務機能チェーンによる複数のドメインでの横断を実現し、同時にデータセンタードメインの内部業務チェーンの秘密性を保証できる。
【００４０】
一可能な実施例において、上記第１のメッセージに第１のドメインが第１のメッセージに割り当てた第１のＳＦＰＩＤが載せられる。これにより、第１のメッセージの伝送が容易になる。
【００４１】
上記ステップＳ２０２中の第２の機器が第１のメッセージを受信することについて、一可能な実施例において、第２の機器は該第２のドメインのゲートウェイ機器を介して第１のメッセージを受信する。
【００４２】
一可能な実施例において、第１のメッセージについて、第１のドメインにより第２のドメインのゲートウェイ機器のアドレスに基づいて第２のドメインに送信し、ここで、第２のドメインのゲートウェイ機器のアドレスは第１のドメインが調節管理エンティティを介して取得し、第２のドメインのゲートウェイ機器のアドレスをＳＦＣに対応させるための第１のドメインの業務機能エンティティＳＦのアドレスとする。
【００４３】
上記ステップＳ２０４中の第２の機器が第１のメッセージに第２のドメイン内の業務機能チェーンＳＦＣに対応させるための第２の業務機能通路識別子ＳＦＰＩＤを割り当てて、第２のメッセージを得ることについて、さまざまな方式で第２のメッセージを得ることができ、以下例をあげて説明する。一可能な実施例において、第２の機器が第１のメッセージを分類して、分類結果を得て、第２の機器が前記分類結果に基づいて、第２のＳＦＰＩＤを生成し、第２の機器が第１のメッセージのヘッドの外部に前記第２のＳＦＰＩＤをパッケージングして、第２のメッセージを得る。
【００４４】
第２の機器が第１のメッセージを分類する過程において、一可能な実施例において、第２のドメインの分類装置が第１のメッセージのヘッド情報及び／又は第１のＳＦＰＩＤに基づいて第１のメッセージを分類する。ここで、第１のメッセージのヘッド情報は、第１のＳＦＰＩＤ及び／又は第１のメッセージのヘッド情報中の第１のＳＦＰＩＤ以外の他の情報を含む。一可能な実施例において、第１のドメインと第２のドメインは、調節管理エンティティによって調節し、第２のドメインの分類装置が該第１のＳＦＰＩＤと該第２のＳＦＰＩＤの対応関係を得て、第２のドメインの分類装置による第１のメッセージのヘッド情報及び／又は第１のＳＦＰＩＤに基づく該第１のメッセージの分類を完成する。
【００４５】
異なるドメインを横断して流量に各種の業務処理を提供しなければならないので、一可能な実施例において、第２の機器は第２のメッセージを第２のドメイン中の第２の機器以外の他の機器に送信した後、第２のドメインの最後ホップの業務機能転送器ＳＦＦが第２のメッセージの第２のＳＦＰＩＤのパッケージングを解除して、第１のメッセージを得て、ＳＦＦが第１のメッセージを第２のドメインのゲートウェイ機器を介して第２のドメイン以外の他のドメインに送信する。ここで、第２のドメインの最後ホップの業務機能転送器ＳＦＦは第２のドメイン中の最後に第２のメッセージを受信したＳＦＦである。
【００４６】
上記ステップＳ２０４中の第２の機器が第１のメッセージに第２のドメイン内の業務機能チェーンＳＦＣに対応させるための第２の業務機能通路識別子ＳＦＰＩＤを割り当てて、第２のメッセージを得ることについて、さまざまな方式で第２のメッセージを得ることができ、以下例をあげて説明する。第２の機器が第１のメッセージを分類して、分類結果を得て、第２の機器が該分類結果に基づいて第２のＳＦＰＩＤを生成し、第２の機器が第１のメッセージのヘッド中の第１のＳＦＰＩＤを第２のＳＦＰＩＤに入れ替えして、第２のメッセージを得る。
【００４７】
異なるドメインを横断して流量に各種の業務処理を提供しなければならないので、一可能な実施例において、第２の機器が第２のメッセージを第２のドメイン中の第２の機器以外の他の機器に送信した後、第２のドメインの最後ホップのＳＦＦが、第２のＳＦＰＩＤを再び該第１のＳＦＰＩＤに置換して、第１のメッセージを得て、ＳＦＦが第１のメッセージを第２のドメインのゲートウェイ機器を介して第２のドメイン以外の他のドメインに送信する。
【００４８】
上記ステップＳ２０４中の第２の機器が第１のメッセージに第２のドメイン内の業務機能チェーンＳＦＣに対応させるための第２の業務機能通路識別子ＳＦＰＩＤを割り当てて、第２のメッセージを得ることについて、さまざまな方式で第２のメッセージを得ることができ、以下例をあげて説明する。第１のＳＦＰＩＤと該第２のＳＦＰＩＤの対応関係に基づいて、第１のメッセージに第１のＳＦＰＩＤに対応する第２のＳＦＰＩＤを割り当て、第１のＳＦＰＩＤをメタデータに記憶して、第２のメッセージを得る。
【００４９】
異なるドメインを横断して流量に各種の業務処理を提供しなければならないので、一可能な実施例において、第２の機器が第２のメッセージを第２のドメイン中の第２の機器以外の他の機器に送信した後、第２のドメインの最後ホップのＳＦＦがメタデータから第１のＳＦＰＩＤを取得し、第２のＳＦＰＩＤを第１のＳＦＰＩＤにマッピングし、第２のＳＦＰＩＤをパッケージングした第１のメッセージを第１のメッセージに戻し、ＳＦＦが第１のメッセージを該第２のドメインのゲートウェイ機器を介して該第２のドメイン以外の他のドメインに送信する。
【００５０】
一可能な実施例において、ＳＦＦが第１のメッセージを第２のドメインのゲートウェイ機器を介して第２のドメイン以外の他のドメインに送信した後、第２のドメインが第１のメッセージの業務機能処理を提供しない場合、第２のドメイン内のゲートウェイ機器が該第１のドメインに第２のドメインが提供したＳＦを削除するための通知メッセージを送信する。これにより、第１のドメインの流量が第２のドメインに送信されない。
【００５１】
一可能な実施例において、第２のドメインは、メインドメインとスペアドメインとを含む。メインドメインに故障が発生した後、スペアドメインを利用する。
【００５２】
一可能な実施例において、第２の機器が第２のドメイン中の分類装置である。
【００５３】
本実施例においてさらに、上記実施例及び好適な実施形態を実施するためのメッセージの転送処理装置を提供し、既に説明した部分の説明は省略する。以下で使用される用語「手段」は所定の機能を実現できるソフトウェア及び／又はハードウェアの組合せである。以下の実施例で説明する装置をソフトウェアで実現することが好ましいが、ハードウェア、又はソフトウェアとハードウェアの組合せで実現することも可能である。
【００５４】
図３は本発明の実施例に係るメッセージの転送処理装置の構造を示すブロック図で、該装置は第２のドメイン中の第２の機器に応用され、図３に示すように、該装置は、第１のドメインに位置する第１の機器から第１のメッセージを受信するように構成される受信手段３２と、第１のメッセージに該第２のドメイン内の業務機能チェーンＳＦＣに対応させるための第２の業務機能通路識別子ＳＦＰＩＤを割り当てて、第２のメッセージを得るように構成される割り当て手段３４と、第２のメッセージを第２のドメイン中の第２の機器以外の他の機器に送信するように構成される送信手段３６と、を含む。
【００５５】
第１のメッセージに第１のドメインが第１のメッセージに割り当てた第１のＳＦＰＩＤが載せられることができる。
【００５６】
受信手段３２がさらに、第２のドメインのゲートウェイ機器のアドレスを第１のドメインに送信し、第２のドメインのゲートウェイ機器を介して第１のメッセージを受信するように構成されることもできる。
【００５７】
図４は本発明の実施例に係るメッセージの転送処理装置の構造を示すブロック図（１）で、図４に示すように、割り当て手段３４はさらに、第１のメッセージを分類して、分類結果を得るように構成される第１の分類ユニット３４２と、分類結果に基づいて第２のＳＦＰＩＤを生成するように構成される第１の生成ユニット３４４と、第１のメッセージの外部に第２のＳＦＰＩＤをパッケージングして、第２のメッセージを得るように構成されるパッケージングユニット３４６と、を含む。
【００５８】
図５は本発明の実施例に係るメッセージの転送処理装置の構造を示すブロック図（２）で、図５に示すように、割り当て手段３４はさらに、第１のメッセージを分類して、分類結果を得るように構成される第２の分類ユニット３４８と、分類結果に基づいて第２のＳＦＰＩＤを生成するように構成される第２の生成ユニット３５０と、第１のメッセージのヘッド中の第１のＳＦＰＩＤを該第２のＳＦＰＩＤに入れ替えして、第１のＳＦＰＩＤをメタデータに記憶して、第２のメッセージを得るように構成される入れ替えユニット３５２と、を含む。
【００５９】
図６は本発明の実施例に係るメッセージの転送処理装置の構造を示すブロック図（３）で、図６に示すように、割り当て手段３４はさらに、第１のＳＦＰＩＤと第２のＳＦＰＩＤの対応関係を取得し、第１のメッセージに第１のＳＦＰＩＤに対応する第２のＳＦＰＩＤを割り当てて、第２のメッセージを得るように構成される取得ユニット３５４を含む。
【００６０】
上記第２の機器が第２のドメイン中の分類装置であることができる。
【００６１】
他の一可能な実施例において、さらにメッセージの転送処理システムを提供し、第１のドメインと第２のドメインに位置する第２の機器とを含み、第２の機器は、第１の機器から送信された第１のメッセージを受信し、第１のメッセージに第２のドメイン内の業務機能チェーンＳＦＣに対応させるための第２の業務機能通路識別子ＳＦＰＩＤを割り当てて、第２のメッセージを得て、また、第２のメッセージを該第２のドメイン中の第２の機器以外の他の機器に送信するように構成される。
【００６２】
上記システムは、第２のドメインに位置するゲートウェイ機器及び最後ホップのＳＦＦと、該第２のドメイン以外の他のドメインに位置する第３の機器とをさらに含むことができ、該最後ホップのＳＦＦは該第２のメッセージを該第１のメッセージに戻して、該第１のメッセージを該ゲートウェイ機器に送信するように構成され、ゲートウェイ機器は、第１のドメインから第１のメッセージを受信して第１のメッセージを第２の機器に送信し、最後ホップのＳＦＦが戻した第１のメッセージを該第３の機器に送信する。
【００６３】
尚、上記各手段をソフトウェア又はハードウェアで実現することができ、ハードウェアで実現する場合、上記各手段を全て同一のプロセッサに設置することができ、又は、上記各手段をそれぞれ第１のプロセッサ、第２のプロセッサ、第３のプロセッサ…に設けることもできるが、これに限定されることはない。
【００６４】
既存技術に存在する上記問題について、以下、具体的な可能な実施例を結合して説明し、以下の可能な実施例において上記可能な実施例及び他の可能な実施形態を結合している。
【００６５】
本可能な実施例において階層化したＳＦＣを提供して、異なるネットワークを横断して流量に各種の業務処理を提供することができる。本発明において、借りたネットワークで提供する各種業務機能は、広域ネットワークにおいて、ドメイン間の業務機能を提供し、広域ネットワークのＳＦＣドメインにおいてＳＦＩＤで表す技術案を応用する。
【００６６】
広域ネットワークコントローラ／管理装置が、データセンター（Ｄａｔａ  Ｃｅｎｔｒｅ、ＤＣと略称）のコントローラに、ＳＦサービスを申請し、ＤＣコントローラ／管理装置が一つのＳＦＩＤを広域ネットワークコントローラ／管理装置にフィードバックする。広域ネットワークコントローラ／管理装置が当該ＤＣのＳＦＩＤが位置するＳＦＰＩＤをフィードバックする。ＤＣコントローラ／管理装置は、ＳＦＩＤの特性に応じて、本ＤＣネットワーク内部でＳＦＣ通路を構築し、当該内部のＳＦＣ通路と広域ネットワークのＳＦＰＩＤをＤＣ分類機器でマッピングする。
【００６７】
流量が広域ネットワークに進入する場合、広域ネットワーク上の分類装置は、流量の特徴（例えば、流量の５元組）に応じて、該流量に業務機能チェーン通路識別子ＳＦＰＩＤ１を割り当てて、該ＳＦＰＩＤ１をメッセージのヘッドに追加し、広域ネットワーク上の業務機能エンティティは当該ＳＦＰＩＤ１に基づいてメッセージの処理や転送を行う。
【００６８】
メッセージをＤＣネットワーク中の業務機能で処理しようとする場合、メッセージはまず、借りたネットワークのゲートウェイに送信され、ゲートウェイが継続して本ＤＣネットワークの分類装置に送信して該メッセージをさらに分類する。ここでの分類装置はゲートウェイと分離されることができれば、物理的に一体化されたものであることもできる。分類装置は、メッセージの分類を行う時、メッセージに載せられた広域ネットワークのＳＦＰＩＤ１を結合してＤＣネットワーク内の分類を行わなければならず、同時に、分類結果に基づいて本ＤＣネットワーク内の業務機能チェーン通路識別子ＳＦＰＩＤ２を生成して、該ＳＦＰＩＤ２を再びメッセージのヘッドに追加し、メッセージのその前のＳＦＰＩＤ１はＳＦＰＩＤ２ヘッド内にパッケージングされる。
【００６９】
ＤＣネットワーク内の業務機能エンティティは、当該ＳＦＰＩＤ２に基づいてメッセージの処理や転送を行い、ＳＦＰＩＤ１については検知や処理を行わない。
【００７０】
メッセージが当該借りたネットワークを離す時、メッセージを最後に処理した業務機能に接続された転送機器ＳＦＦが、当該ＳＰＦＩＤ２のパッケージを解除して再び本ネットワークのゲートウェイに転送し、ゲートウェイにより再び広域ネットワーク又は次のＤＣネットワークのドメイン間業務機能に転送し、該業務機能によりメッセージに後続の処理を行う。
【００７１】
そして、ＤＣネットワークに進入する時に、ＤＣネットワークの分類装置（Ｃｌａｓｓｉｆｉｅｒ）がメタメッセージのＳＦＣヘッド識別子ＳＦＰＩＤをマッピングし翻訳して、外部のＳＦＰＩＤを内部のＳＦＰＩＤに翻訳し、内部で内部ＳＦＰＩＤを介して転送する。メッセージが本ＤＣを離す時、再び最後のＳＦ機器が内部ＳＦＰＩＤを外部ＳＦＰＩＤにマッピングし翻訳する。
【００７２】
実施例１：ネットワーク構成は図１に示すとおりで、ソース機器Ｓがターゲット機器Ｄヘ流量を送信し、該流量は業務機能エンティティＳＦ１、ＳＦ２、ＳＦ３、ＳＦ４を通過しなければならない。図７は本発明の実施例１に係る流量送信を示す図で、図７に示すように、ここでの各業務機能はいずれもドメイン間ＳＦであることができる。ここでのドメイン間ＳＦは、ＤＣネットワーク中の一つのＳＦＣで、広域ネットワークの場合は、ドメイン間ＳＦと抽象化できる。ＤＣネットワークが上層の広域ネットワークに提供するものは抽象されたＳＦのみであるので、上層ネットワークはＤＣネットワーク内部のＳＦＣがどのような通路であるかには関心を持たない。
【００７３】
上層ネットワークがある特定の業務機能を必要とする場合、ＤＣネットワークから、例えばＤＰＩ、計算等の業務機能を借りることができ、この時、ＤＣが広域ネットワーク制御面に貸与するのは一つのＤＰＩと計算するＳＦ２のみであって、広域ネットワークにとって、当該ＳＦ２は他のＳＦ１と同様に、一つのＳＦＩＤ２識別子がＳＦ２のドメイン間業務機能に対応する。
【００７４】
広域ネットワークの制御面にとって、ＤＣネットワークが提供すべきものは当該ＳＦＩＤ２と広域ネットワークＳＦＣの次のホップであるゲートウェイアドレスとである。広域ネットワークの制御面は、ＤＣネットワークにどのＳＦＣがＤＣ内の業務機能である広域ネットワークのＳＦＰＩＤ１を借りるかを報知する必要がある。ＤＣネットワークの内部でＳＰＦＩＤ１と本ネットワーク内のＳＦＣ（ＳＰＦＩＤ２）との対応関係を決めなければならない。ＤＣネットワークに進入するＳＰＦＩＤ１及びメッセージの５元組等の情報に基づいて、再びＤＣ内部の一つのＳＦＣ（ＳＦＰＩＤ２に対応）を選択しなければならない。
【００７５】
図８は本発明の実施例１に係るＳＦＣヘッドネストフォーマット示す図で、図８に示すように、ソース機器Ｓから送信されたメッセージは、広域ネットワークのＣｌａｓｓｉｆｉｅｒで分類処理され、分類結果に基づいて、該メッセージに一つのＳＦＣのヘッドＳＦＰＩＤ１をパッケージングし、当該ＳＦＣ通路において、各ＳＦＦはＳＦＰＩＤ１に従って転送される。メッセージがＤＣネットワークのゲートウェイに転送された時、ゲートウェイは戦略に従って、メッセージをＤＣネットワークのＣｌａｓｓｉｆｉｅｒに送信し、ＤＣネットワークのＣｌａｓｓｉｆｉｅｒがメッセージにネットワーク内の分類を行う。Ｃｌａｓｓｉｆｉｅｒは、ＳＦＣヘッドを有するメッセージを受信した後、該ＳＦＣヘッドのＳＰＦＩＤ１及び／又はメッセージの他のヘッド情報に基づいて、メッセージを分類し、本ＤＣネットワークのｓｕｂーＳＦＣ通路識別子ＳＰＦＩＤ２を得る。そして、図７に示すように、元のＳＦＣヘッドを基に、ＤＣネットワーク自分のＳＦＣヘッドを追加する。ＤＣネットワーク内部においてＳＰＦＩＤ２に基づいてメッセージを転送し、それぞれ異なる業務機能エンティティＳＦに送信して処理を行わせる。
【００７６】
ＤＣネットワーク内での処理を完成した後、ＤＣネットワークのｓｕｂーＳＦＣの最後のＳＦＦにおいて、外層のＤＣネットワークＳＦＰＩＤ２を剥離し、元の広域ネットワークのＳＦＣヘッドを残して、ＤＣネットワークのゲートウェイに送信し、ゲートウェイが再びＤＣ内部から送信されたメッセージを広域ネットワークの次のＳＦに送信して処理させ、即ちＳＦ３が次の処理を行う。
【００７７】
本実施例中の各ＳＦはいずれもＤＣのドメイン間ＳＦであることができ、独立したＳＦであることもできる。
【００７８】
実施例２：ネットワーク状況は依然として図１に示すとおりで、ＤＣ内部のＣｌａｓｓｉｆｉｅｒが、元のＳＦＣヘッドのＳＰＦＩＤ１をＳＦＰＩＤ２に置換し、同時に、ＳＦＰＩＤ２を現在のＳＦＣヘッドのＯｕｔｅｒ  ＴＬＶに記憶し、同時にＳＦＣヘッドの識別子位Ｏ２にセットされる点で実施例１と異なっている。図９は本発明の実施例２に係るＳＦＣヘッドフォーマットを示す図で、ＳＦＣヘッドフォーマットは図９に示すとおりである。ＤＣネットワークを離す前の最後のＳＦにおいて、該ＳＦに接続された最後ＳＦＦ（即ち、Ｉｎｄｅｘ＝０）はＯ２に基づいて表記し、セットする場合、Ｏｕｔｅｒ  ＴＬＶ中のＳＦＰＩＤ１をＳＦＣヘッドのＳＦＰＩＤフィールドに戻してから転送してＤＣネットワークから離す。
【００７９】
実施例３：ネットワーク状況は依然として図１に示すとおりで、ソース機器Ｓの流量がＳＦＣの処理を経てターゲット機器Ｄに達する。当該ＳＦＣは、一つのＤＣネットワークを横断し、ＤＣネットワークの一部の業務機能を借りて処理する。
【００８０】
ＤＣネットワークのＣｌａｓｓｉｆｉｅｒにおいて、制御面を介して外部ＳＦＣと内部ＳＦＣのマッピング関係、即ちＳＰＦＩＤ１とＳＰＦＩＤ２の対応関係を取得しなければならない。
【００８１】
該メッセージが広域ネットワークのＣｌａｓｓｉｆｉｅｒに達すると、Ｃｌａｓｓｉｆｉｅｒが該メッセージを分類し、メッセージにＳＰＦＩＤ１のヘッドをパッケージングし、またＳＰＦＩＤ１に応じてＳＦ１に転送して処理させる。ＳＦ１で処理を完成した後、次のホップがＤＣネットワークのゲートウェイ（Ｇａｔｅｗａｙ、ＧＷと略称）であることが分かる。
【００８２】
ＤＣゲートウェイは、ネットワーク外部から進入したメッセージを受信した後、まず該メッセージをＤＣネットワーク自分のＣｌａｓｓｉｆｉｅｒに転送する。該ＣｌａｓｓｉｆｉｅｒはメッセージのＳＰＦＩＤ１とメッセージヘッド情報に基づいて、メッセージを再び分類し、その前に取得したマッピング情報に基づいて、メッセージＳＦＣヘッドのＳＰＦＩＤ１をＳＰＦＩＤ２にマッピングし、ＤＣネットワークに進入した後、メッセージはＳＰＦＩＤ２のＳＦＣヘッドを載せてＤＣ内部で転送される。該ＳＦＣ通路の最後の業務機能に接続された転送機器にて、ＳＰＦＩＤ２からＳＰＦＩＤ１へのマッピングを再度行って、メッセージのＳＦＣヘッドをＳＦＰＩＤ１に戻して後続の転送を行う。
【００８３】
実施例４：図２に示すように、ＤＣネットワークが提供するドメイン間ＳＦ２の場合、流量がドメイン間ＳＦ２による処理が必要でないと、ＤＣネットワークのゲートウェイはメッセージを送信して広域ネットワークコントローラ／管理装置に通知し、本ＤＣネットワークが提供するドメイン間ＳＦ２は、該広域ネットワークのＳＦＣリンクからｏｆｆｌｏａｄされる。同時に、コントローラはＳＦ１とＳＦ３間の接続を構築する。
【００８４】
実施例５：図１０は本発明の実施例５に係る流量の送信を示す図で、図１０に示すように、ドメイン間ＳＦ２とドメイン間ＳＦ２’は互いにバックアップである。ＳＦ２とＳＦ２’は同時に、広域ネットワークに業務サービスを提供すると登録した。広域ネットワークについて、当該ＳＦＣはまずその中の一つの業務機能エンティティとしてＳＦ２を選択した。ＳＦ２’を業務機能エンティティのバックアップとした。ＤＣ１ネットワークが提供するＳＦ２業務機能エンティティが回収されるか又は他の問題が発生して、広域ネットワークの当該ＳＦＣと使用することができないと、コントローラはＳＦ１の転送器ＳＦＦに次のホップをＳＦ２’のゲートウェイアドレスに変更することを通知する。流量がＳＦ１からドメイン間ＳＦ２’に進入した場合、ＳＦ２’は該流量のＳＦＣヘッドのＳＦＰＩＤに基づいて、該メッセージにＤＣ２ネットワーク内のＳＦＰＩＤ２’をパッケージングし、該ＳＦＰＩＤ２’とドメイン間ＳＦ２’の業務機能は対応する。この時、ＤＣ２ネットワーク内の流量のＳＦＣヘッドフォーマットは図１１に示すとおりである。ＳＦＰＩＤ２とＳＦＰＩＤ’は互いに独立したもので、同一であることができれば、異なることもできるが、いずれもＳＦＰＩＤ１からマッピングされたものであって、ＤＣネットワークにおいて業務機能処理を行う時の転送識別子である。
【００８５】
実施例６：本実施例において主に、データセンターゲートウェイと広域ネットワークとの間のインタラクションや情報のマッピングを説明する。図１に示すように、データセンターが広域ネットワークに一つのドメイン間ＳＦ（仮想的なロジック的なもの）を賃貸し、データセンターのコントローラ又は管理システムは広域ネットワークのコントローラ又は管理システムとインタラクションしなければならず、賃貸するドメイン間ＳＦをＳＦＩＤとして広域ネットワークのコントローラ又は管理システムに提供し、同時に、広域ネットワークのコントローラ又は管理システムにさらに、広域ネットワークＳＦＣの次のホップアドレスとしての広域ネットワークに接続されたデータセンターゲートウェイのアドレスを提供する。
【００８６】
広域ネットワークのコントローラ又は管理システムは、データセンターが提供した当該ドメイン間ＳＦ情報（ＳＦＩＤ、次のホップアドレス）を広域ネットワークのＳＦＣリンクに配置する。同時に、広域ネットワークのコントローラ又は管理システムは、当該ドメイン間ＳＦの全てのＳＦＣを通過するＳＦＰＩＤを全てデータセンターネットワークのコントローラ又は管理システムに提供する。
【００８７】
データセンターネットワークのコントローラ又は管理システムは、当該ドメイン間ＳＦについて、ネットワークの内部で一つのＳＦＣリンクを配置して該ドメイン間ＳＦに対応させる。主に以下を含む。
【００８８】
１、コントローラがデータセンターゲートウェイを配置し、受信したメッセージについて、配置した戦略に従って、業務処理が必要であるメッセージをまず分類装置Ｃｌａｓｓｉｆｉｅｒに送信して分類を行わせる。
【００８９】
２、コントローラが前記分類装置を配置し、ＳＦＣヘッドが載せられたメッセージについて、該メッセージのＳＦＣヘッド中のＳＦＰＩＤに基づいて、データセンターネットワーク内部のＳＦＰＩＤをマッピングし、その後、メッセージに外層のＳＦＣヘッドをパッケージングし、該外層のＳＦＣヘッドに載せられたものはデータセンターネットワーク内のＳＦＰＩＤである。又は、元のメッセージのＳＦＣヘッドのＳＦＰＩＤをデータセンターネットワーク内部のＳＦＰＩＤに入れ替えする。
【００９０】
３、コントローラが当該ＳＦＣが通過する通路のＳＦＦ、ネットワーク機器を配置し、ＳＦＣの通道を構築する。
【００９１】
実施例１の場合、本実施例の第２ステップにおいてコントローラが分類装置を配置し、ＳＦＣヘッドのＳＦＰＩＤをマッピングする以外、さらにメッセージのヘッドを分類してからデータセンター内部のＳＦＰＩＤを得るようにすることもできる。
【００９２】
実施例２の場合、本実施例の第３ステップにおいて、コントローラが特に最後ホップのＳＦＦを配置して、マッピング情報を提供し、メッセージ中の元に載せられたデータセンターネットワーク内部のＳＦＰＩＤを広域ネットワークのＳＦＰＩＤに入れ替えする。その後、メッセージをゲートウェイに送信してさらにデータセンターネットワークに送信する。
【００９３】
上述のように、本発明において階層化したＳＦＣ解決案を導入して、一つの業務機能チェーンが複数のネットワークにおいて横断することができ、同時に、データセンターネットワークの内部業務チェーンの秘密性を保証し、広域ネットワークが他の業務機能を借りる状況で非常に重要な現実的な意味を持つ。
【００９４】
他の実施例においてさらに、上記実施例及び好適な実施形態で説明した技術案を実施するためのソフトウェアを提供する。
【００９５】
他の実施例においてさらに、上記ソフトウェアが記憶される記憶媒体を提供し、該記憶媒体はＣＤ、フロッピー（登録商標）、ハードディスク、リライタブルメモリ等を含むがこれらに限定されることはない。
【００９６】
上記した本発明の各手段又は各ステップを共通の計算装置によって実現することができ、単独の計算装置に集中させることができれば、複数の計算装置から構成されるネットワークに分布させることもでき、さらに計算装置が実行可能なプログラムコードによって実現することもできるので、それらを記憶装置に記憶させて計算装置によって実行することができ、場合によっては、他の順で図に示す又は説明したステップを実行することができ、又は夫々集積回路手段に製作し、又はそれらの中の複数の手段又はステップを単一の集積回路手段に製作して実現できることは当業者にとって明らかなことである。このように、本発明は如何なる特定のハードウェアとソフトウェアの結合にも限定されない。
【００９７】
以上は、本発明の好適な実施例に過ぎず、本発明を限定するものではない。当業者であれば本発明にさまざまな修正や変形が可能である。本発明の精神や原則内での全ての修正、置換、改良などは本発明の保護範囲内に含まれる。
【産業上の利用可能性】
【００９８】
上述のように、本発明の実施例で提供するメッセージの転送処理方法、装置及びシステムによると、一つの業務機能チェーンが複数のネットワークで横断でき、同時に、データセンターネットワークの内部業務チェーンの秘密性を保証できる。
【図１】
0006730326.tif 000002
【図２】
0006730326.tif 000003
【図３】
0006730326.tif 000004
【図４】
0006730326.tif 000005
【図５】
0006730326.tif 000006
【図６】
0006730326.tif 000007
【図７】
0006730326.tif 000008
【図８】
0006730326.tif 000009
【図９】
0006730326.tif 000010
【図１０】
0006730326.tif 000011
【図１１】
0006730326.tif 000012